(57)【特許請求の範囲】
【請求項１】
本体の上面開口部を覆う開閉自在な蓋体と、前記蓋体の後部を支えるヒンジ部とを備え、前記ヒンジ部外郭部に蓋ストッパーを設けてなり、蓋ストッパーは、凸部又は段差をもって蓋体後部形状に合わせて構成され、自然開蓋時に蓋体後端部との間に一定の隙間を設けて停止するよう配置されてなる炊飯器。
【発明の詳細な説明】
【０００１】
【発明の属する技術分野】
本発明は、主に家庭で使用する炊飯器に関する。
【０００２】
【従来の技術】
従来、この種の蓋体装置の構成は、一般に以下のような構成となっている。
【０００３】
以下に従来の炊飯器の構成について図７及び図８を参照しながら説明する。図７に示すように上面を開口した本体７１上部には蓋体７２が開閉自在に配置されている。蓋体７２はヒンジ軸７３を中心に回動し、このヒンジ軸７３に挿入したねじりコイルばね７４により開成方向に付勢されている。炊飯器本体７１の一端にヒンジ軸７３を保持するヒンジ部７５を形成し、蓋体７２の開閉に関係なく常にこのヒンジ部７５と蓋体７２によってヒンジ部７５内部が露出して中に水が浸入するのを防いでいる。このヒンジ部７５内部には、本体７１と蓋体７２との電気回路部品同士を接続させるための内部配線７６が通っている。ヒンジ部７５の背面開口部はヒンジカバー７７で覆われている。
【０００４】
炊飯器本体７１の上部前方には蓋体７２の前部と、蓋体７２前部との係合をロック及び解除するためのフックボタン７８が設けられている。
【０００５】
ここで、この蓋体７２開成時の動作について図８、図９により説明する。フックボタン７８を操作し、蓋体７２の前部との係合が解除すると、ねじりコイルばね７４の付勢力により蓋が開く。
【０００６】
ここで、通常の使用においては、蓋体７２が９０度だけ開けば鍋の着脱や、ご飯を取り出す等を行うには十分なのだが、それ以上開くと本体７１が倒れたり、蓋体７２内部と本体７１内部とを接続する内部配線を傷めることがないように蓋体７７が９０度以上開くのを防ぐ蓋トッパー機構を設けている。このストッパー機構としては、例えば次のような手段が用いられている。
【０００７】
図８において、蓋体７２を開けると、蓋体７２の後端部がヒンジ軸７３を中心に回動し、蓋体７２の開成角度が９０度に達すると、蓋体７２の後端部がヒンジカバー７７に当接し、これ以上蓋体７２が開かない方向に力が加わる。これによって蓋体７２の蓋ストッパー機構として働く。
【０００８】
また他の手段として、図９のように、蓋体７２のヒンジ部７５対向部に設けられた蓋カバー７２ａが、開成角度が９０度に達するとヒンジ部７５と当接し、これが蓋ストッパー機構として働くという手段も用いられている。
【０００９】
【発明が解決しようとする課題】
しかしながら、上述の炊飯器では、本体７１や、蓋体７２の外郭形状や蓋構成によっては、蓋体７２の後端部がヒンジカバー７６に当接しても互いに直角方向に当たらないと、力を加えて蓋体７２を開けようとすると蓋体７２の後端部はいくらかの変形をしながらヒンジカバー７７上を滑ってしまい、必要以上に蓋体７２が開くことがあった。また、蓋体７２の構成を簡素化し、安価に造るために、蓋カバー７２ａを蓋体７２と一体に成形しようとすると、蓋体７２の外形形状の取り方によっては蓋カバー７２ａは必ずしもヒンジ部７５と回動方向に直角の面で当てる形状に設定することが出来ず、やはり蓋体７２を後方に押すと蓋カバー７２ａはヒンジ部７５の上側に乗り上げてしまい、蓋体７２が必要以上に開いてしまうこともあった。
【００１０】
このように蓋体７２が必要以上に開いて図９に示す蓋カバー７２ａがヒンジ部７５の上側を乗り越えると、本体７１内部が露出して外側からヒンジばね７４や内部配線７６が見えてくるために、使用者に不安感を与えたり、内部配線７６が、蓋カバー７２ａとヒンジカバー７７との間に挟まれて断線させたりする恐れがあった。
【００１１】
本発明は、上記課題を解決するもので、蓋体を開けてお手入をする時等に蓋体を後部に押しても蓋体が後部に乗り上げる事の無い炊飯器を提供することを目的としている。
【００１２】
【課題を解決するための手段】
上記課題を解決するために本発明は、本体の上面開口部を覆う開閉自在な蓋体と、前記蓋体の後部を支えるヒンジ部とを備え、前記ヒンジ部外郭部に蓋ストッパーを設けてなり、蓋ストッパーは、凸部又は段差をもって蓋体後部形状に合わせて構成され、自然開蓋時に蓋体後端部との間に一定の隙間を設けて停止するよう配置されてなるものである。
【００１３】
【発明の実施の形態】
請求項１に記載の発明は、ヒンジ部外郭部に蓋ストッパーを設けるため、蓋体の外郭形状や、内部構成の取り方にとらわれずに蓋体が必要以上の角度まで開く事を防ぐことが可能となる。
【００１４】
さらに、蓋体後部とヒンジ部を広範囲で当てるようにすることで、蓋ストッパーに対する衝撃を分散させ、部分的な応力の集中による割れや変形等の発生を防ぐ事が出来る。
【００１５】
さらに、自然開蓋時に蓋ストッパーと蓋体後端部との間に一定の隙間を設けているので、通常での使用時は蓋ストッパーに蓋体後端部との衝撃によるストレスは与えられず、耐久性を高める事が出来るものである。
【００１６】
【実施例】
（実施例１）
本発明の一実施例について、図１、図２を参照しながら説明する。
【００１７】
図１において、本体１１は、上面が開口し、この本体１１内部に鍋１２が着脱自在に収納されている。鍋１２上方には開閉自在な蓋体１３が軸支されている。蓋体１３はヒンジ軸１４を中心に回動し、このヒンジ軸１４に挿入したねじりコイルばね１５により開成方向に付勢されている。炊飯器本体１１の一端にヒンジ軸１４を保持するヒンジ部１６を形成し、このヒンジ部１６の背面開口部はヒンジカバー１７で覆われている。
【００１８】
ここで、図１の本体後部断面を拡大した図を図２に示す。図２より、ヒンジカバー１７には外側に蓋ストッパーとして凸部を形成する受け具１８が取付けネジ１９によって取り付けられている。
【００１９】
炊飯器本体１１の上部前方にはフックボタン２０を設けており、このフックボタン２０によって蓋体１３との係合をロック及び解除されるものである。
【００２０】
ここで、この蓋体１２開成時の動作について図２により説明する。図２においてフックボタン２０を操作して蓋体１３との係合を解除し、蓋体１３を開ける。このとき、通常の使用において十分な開成角度である９０度に達すると、蓋体１３後端部はヒンジカバー１７に設けられた受け具１８の上側の面にちょうどぶつかるような位置に配置されている。従って、これ以上蓋を開けようとしても、蓋体１３後端部は受け具１８の上側の面に完全にブロックされ、これ以上ヒンジ軸１４を中心とした回転方向に回動することはない。
【００２１】
なお、本実施例では、蓋体１３後端部と凸部品１８の上側の面にぶつかる時の角度を９０度で説明したが、蓋体１３後部の外形形状や内部構成によって、角度設定を変えることは当然可能である。
【００２２】
また、受け具１８は取付けネジ１９によって取り付けられているように説明しているが、取付け方法は他にも様々な手段が考えられている。
【００２３】
また、ヒンジカバー１７を、独立した部品として説明しているが、本体１１と一体の構成にすれば、部品点数を減らしてコストを下げることが可能となる。
【００２４】
（実施例２）
次に、第２の実施例について図３より説明する。図３も、図２と同様、本体後部の断面を拡大したものである。ここで、ヒンジカバー３１以外の構成や、蓋体３２の回動状態は第１の実施例と同じである。図３において、ヒンジカバー３１には段差３３を設けるための段差カバー３４が取付けネジ３５によって固定されている。ここで、蓋体３２が開き、開成角度が９０度に達すると、蓋体３２後端部はこの段差３３にぶつかるように設定されている。これによって蓋体３２後端部はヒンジ軸３４を中心とした回転方向への回転が規制される。
【００２５】
なお、本実施例においても、蓋体３２後端部と段差３３の上側の面にぶつかる時の角度設定を変えることは当然可能である。
【００２６】
また、ヒンジカバー３１を本体と一体の構成にすることは可能である。
【００２７】
また、段差カバー３４は取付けネジ３５によって取り付けられているように説明しているが、取付け方法は他にも様々な手段が考えられている。
【００２８】
（実施例３）
次に、第３の実施例について図４より説明する。図４は、炊飯器を後方より見た図である。ここでは、蓋体４１が開いている状態が示されている。蓋体４１後端部の外形ラインとヒンジカバー４２に設けられた段差４３のラインとの形状が一致している。従って蓋体４１後端部と段差４３がぶつかる時は、この互いに一致したライン全体で均等に受け止めることになり、力を加えて蓋体４１を開けようとしても応力が分散される。
【００２９】
（実施例４）
次に、第４の実施例について図５より説明する。図５も、図２と同様、本体後部の断面を拡大したものである。図５において、ヒンジカバー５１は段差５２を設けた形状になっており、蓋体５３後端部は開成角度が９０度に達すると、この段差部５２にぶつかる。
【００３０】
なお、本実施例においても、蓋体５３後端部と段差部５２の上側の面にぶつかる時の角度設定を変えることは当然可能である。
【００３１】
また、ヒンジカバー５１を本体とを一体の構成にすることも可能である。
【００３２】
また、本実施例では、蓋ストッパーとして段差部５２として説明したが、この部分が凸部形状をなしていても、当然同様の効果が期待される。
【００３３】
（実施例５）
次に、第５の実施例について図１及び図６より説明する。図１より、フックボタン１９を操作して蓋体１３との係合を解除すると、蓋体１３はねじりコイルばね１５に付勢された力によって自然に開くが、この時、ねじりコイルばねに付勢された力の具合や、ヒンジ部１６又はヒンジカバー１７内に設けられたブレーキ手段によって蓋体１３は開成角度が９０度に達すると自然に停止するように設定されている。ここで、自然に蓋体１３が開いた状態を本体１１後方から見た図が図６である。図６では、蓋体６１後端部の外形ラインとヒンジカバー６２に設けられた段差６３のラインとの間に一定の隙間が生じている。
【００３４】
ところで、炊飯器本体を大量生産した時の炊飯器による形状のバラツキや、長年の使用においての部品形状や材質の変質、また、炊飯器本体を設置している環境の違いによって蓋体６１の開成角度にいくらかのバラツキが生じることは避けられない。従って図６に示すように通常の使用において、蓋体６１が自然に開いた時は蓋体６１後端部と段差６３との間に隙間が生ずるように設定していれば、最も蓋体６１の開成角度が大きくなる方向にバラついても蓋体６１が自然に開いた時は蓋体６１後端部と段差６３と衝突しないか、又はほとんどストレスを与えない程度に軽く当たる程度のレベルに収まる。この隙間の設定は、１ｍｍに設定するのが適切であるが、蓋体６１の大きさや、ブレーキ手段の精度によってその器体に適切な隙間の設定にすれば良い。
【００３５】
【発明の効果】
以上のように、請求項１記載の発明によれば、ヒンジ部外郭部に蓋ストッパーを設けるため、蓋体の外郭形状や、内部構成の取り方にとらわれずに蓋体を一定の角度より開くのを確実に止めることが可能となる。
【００３６】
また、蓋ストッパーを凸部とすることで、単純な構成で蓋体を一定の角度より開くのを確実に止める構成を設置することが可能となる。
【００３７】
また、蓋ストッパーを段差の形状とすることで、単純な構成で蓋体を一定の角度より開くのを確実に止める構成を設置することが可能となる。
【００３８】
また、蓋体後部とヒンジ部を広範囲で当てるようにすることで、蓋ストッパーに対する衝撃を分散させて部分的な応力の集中をさけ、耐久性を高める事が出来る。
【００３９】
さらに、自然開蓋時に蓋ストッパーと蓋体後端部との間に一定の隙間を設けているので、通常の使用では蓋ストッパー部に力は加わらず、耐久性への影響を無くす事が出来る。
【図面の簡単な説明】
【図１】  本発明の一実施例を示す炊飯器の部分断面図
【図２】  同、炊飯器のヒンジ部の要部断面図
【図３】  同、炊飯器の他の実施例におけるヒンジ部の要部断面図
【図４】  同、炊飯器の開蓋時の後部より見た図
【図５】  同、炊飯器の他の実施例におけるヒンジ部の要部断面図
【図６】  同、炊飯器の他の実施例における開蓋時の後部より見た図
【図７】  従来の実施例を示す炊飯器の部分断面図
【図８】  従来の開蓋時の状態を示す部分断面図
【図９】  同開蓋時の別の状態を示す部分断面図
【符号の説明】
１１                            本体
１２                            鍋
１３、３２、４１、５３、６１    蓋体
１８                            蓋ストッパー（凸部）
３３、４３、５２、６３          段差
【図１】
0004081948.tif 000002
【図２】
0004081948.tif 000003
【図３】
0004081948.tif 000004
【図４】
0004081948.tif 000005
【図５】
0004081948.tif 000006
【図６】
0004081948.tif 000007
【図７】
0004081948.tif 000008
【図８】
0004081948.tif 000009
【図９】
0004081948.tif 000010